(57)【特許請求の範囲】
【請求項１】
環状に配置された複数の櫛歯からなる櫛部を有する剤塗布部を備えた頭髪処理剤塗布具であって、
前記剤塗布部は、頭髪処理剤を吐出する剤吐出口を備えており、
前記複数の櫛歯は、前記剤吐出口の周囲を囲むように配置され、該複数の櫛歯からなる筒状の櫛部の内側に、該剤吐出口から吐出させた頭髪処理剤を貯留可能であり、
前記櫛歯は、先端近傍部から基端側に向かって櫛歯幅が減少する逆テーパー部を有しており、該逆テーパー部においては、隣接する櫛歯間の間隔が、櫛歯の先端側から基端側に向かって漸増しており、
前記櫛歯は、前記逆テーパー部の高さＴ３が該櫛歯の高さＴの３０〜１００％である、頭髪処理剤塗布具。
【請求項２】
前記逆テーパー部は、前記櫛歯の先端近傍部から該櫛歯の高さ方向中央部に亘っている、請求項１記載の頭髪処理剤塗布具。
【請求項３】
前記頭髪処理剤塗布具は、頭髪処理剤を収容し、該頭髪処理剤を前記剤塗布部に供給可能な容器部を有する、請求項１又は２記載の頭髪処理剤塗布具。
【請求項４】
前記櫛歯は、前記剤吐出口が開口する櫛歯台に、平面視円形状に配置されている請求項１〜３の何れか１項に記載の頭髪処理剤塗布具。
【請求項５】
前記剤吐出口から吐出させる頭髪処理剤が液状又は泡状である、請求項１〜４の何れか１項に記載の頭髪処理剤塗布具。
【請求項６】
前記櫛歯を、前記複数の櫛歯によって形成された筒状の櫛部の内側から視たときに、前記逆テーパー部は、その両側の櫛歯外形線が、直線状であるか、又は該櫛歯の中心軸線から離れる方向に向かって凹状に湾曲した曲線状である、請求項１〜５の何れか１項に記載の頭髪処理剤塗布具。
【請求項７】
前記櫛歯は、先すぼまり形状の先端部を有し、該先端部は前記逆テーパー部の上端に隣接させて形成されている、請求項１〜６の何れか１項に記載の頭髪処理剤塗布具。
【請求項８】
前記容器部は、外周面を押圧して変形させる操作を繰り返すことにより、内容物を徐徐に剤吐出口から吐出させ得る、請求項１〜７の何れか１項記載の頭髪処理剤塗布具。
【発明の詳細な説明】
【技術分野】
【０００１】
本発明は、頭髪処理剤塗布具に関する。
【背景技術】
【０００２】
多数の櫛歯からなる櫛部を有する塗布具を用いて頭髪に染毛剤等の頭髪処理剤を塗布する技術が知られている。
例えば、本出願人は、櫛歯が直列した複数の櫛歯列によって両側を挟まれた中央部分から塗布液を吐出させ、該塗布液を、櫛歯列で頭髪を梳きながら頭髪に塗布できるようにした櫛歯付き塗布用具を提案している（特許文献１参照）。この櫛歯付き塗布用具によれば、櫛歯列間に塗布液を吐出させた後、櫛歯列間に塗布液を一旦保持した状態で、塗布用具を頭髪に当てることができる。
【０００３】
しかし、同文献１の図２に示されるように、櫛歯の直径が櫛歯の高さ方向の略全域で等しい場合、例えば、頭頂部付近から首や肩上に亘る長い範囲の髪に連続して塗布液を塗布しようとしても、首上に位置する髪からその毛先に向って塗布する際に、髪が頭皮によって裏側から支持されていないこと、および毛先に向かうに従い髪量が減少することに起因にして、該髪が櫛歯間から抜ける場合があることが予想される。
【０００４】
特許文献２には、櫛歯の先端側の側面に、容器内の流体を排出する滴下孔の開口部を設けるともに、該開口部より先端側に該開口部に近接して瘤部を形成した塗布具が記載され、特許文献３には、複数の櫛歯が直線状に配列された櫛部における櫛歯の上端に、下面が櫛歯片の中心軸心に対して直角近傍の角度をなすように形成された突片を設けることが記載されている。
しかし、特許文献２及び３の技術は、櫛歯から剤を排出する技術であり、長い頭髪の頭頂部側から毛先側の長い範囲に剤を安定して塗布することは困難である。また、特許文献２に記載の櫛歯は、櫛歯の先端部である瘤部の下端から櫛歯の基端側が、該基端側に向かって櫛歯幅が増加するテーパー部となっており、特許文献３に記載の櫛歯は、櫛歯の先端部である突片の下端から櫛歯の基端に亘って櫛歯幅が一定となっており、櫛歯間に挿入された頭髪の一本一本にむら無く剤を付着させることができない。
【先行技術文献】
【特許文献】
【０００５】
【特許文献１】特開２００９−１６０２４０号公報
【特許文献２】実開平１−１５８７２９号公報
【特許文献３】特開２００１−２７５７５２号公報
【発明の概要】
【発明が解決しようとする課題】
【０００６】
従って、本発明は、頭髪の頭頂部側から毛先側の長い範囲に安定して頭髪処理剤を塗布することができるとともに、櫛歯間に挿入された頭髪の一本一本に効率よく頭髪処理剤を付着させることのできる頭髪処理剤塗布具に関する。
【課題を解決するための手段】
【０００７】
本発明は、環状に配置された複数の櫛歯からなる櫛部を有する剤塗布部を備えた頭髪処理剤塗布具であって、前記櫛歯は、先端近傍部から基端側に向かって櫛歯幅が減少する逆テーパー部を有している頭髪処理剤塗布具を提供するものである。
【発明の効果】
【０００８】
本発明の頭髪処理剤塗布具によれば、頭髪の頭頂部側から毛先側の長い範囲に安定して頭髪処理剤を塗布することができるとともに、櫛歯間に挿入された頭髪の一本一本に効率よく頭髪処理剤を付着させることができる。
【図面の簡単な説明】
【０００９】
【図１】図１は、本発明の頭髪処理剤塗布具の一実施形態を示す一部破断側面図である。
【図２】図２は、図１の頭髪処理剤塗布具の剤塗布部の拡大斜視図である。
【図３】図３は、図１の頭髪処理剤塗布具の剤塗布部の櫛歯台を、櫛部が突出する面側から見た平面図である。
【図４】図４は、図１の頭髪処理剤塗布具の剤塗布部及びその近傍の部分断面図である。
【図５】図５は、図１の頭髪処理剤塗布具における相隣接する櫛歯を、筒状の櫛部の内側から視た図である。
【図６】図６は、図１の頭髪処理剤塗布具における筒状の櫛部の内側の空間内に液状又は泡状の頭髪処理剤を貯留させた状態を示す斜視図である。
【図７】図７は、図１の頭髪処理剤塗布具を用いて頭髪に頭髪処理剤を塗布する様子を示す斜視図である。
【図８】図８は、本発明の他の実施形態の櫛歯を示す図（図５相当図）である。
【図９】図９は、本発明の更に他の実施形態の櫛歯を示す図（図５相当図）である。
【図１０】図１０は、本発明の更に他の実施形態の剤塗布部を示す図である。
【図１１】図１１（ａ）は、実施例１の頭髪処理剤塗布具の櫛歯の形状を示す斜視図である。図１１（ｂ）は、比較例１の頭髪処理剤塗布具の櫛歯の形状を示す斜視図である。図１１（ｃ）は、比較例２の頭髪処理剤塗布具の櫛歯の形状を示す斜視図である。
【図１２】図１２（ａ）は、実施例１の頭髪処理剤塗布具を用いた場合の剤塗布量の変化を示すグラフであり、図１２（ｂ）は、比較例１の頭髪処理剤塗布具を用いた場合の剤塗布量の変化を示すグラフであり、図１２（ｃ）は、比較例２の頭髪処理剤塗布具を用いた場合の剤塗布量の変化を示すグラフである。
【発明を実施するための形態】
【００１０】
以下に、本発明をその好ましい実施形態に基づき図面を参照しながら説明する。
本発明の第１実施形態である頭髪処理剤塗布具１は、図１に示すように、環状に配置された複数の櫛歯２２からなる櫛部２３を有する剤塗布部２を備えている。剤塗布部２は、頭髪処理剤３を吐出する剤吐出口２１を備えており、複数の櫛歯２２は、剤吐出口２１の周囲を囲むように環状に配置されている。頭髪処理剤塗布具１は、頭髪処理剤３を収容し、該頭髪処理剤３を剤塗布部２に供給可能な容器部４を有する。また、頭髪処理剤塗布具１は、頭髪処理剤３を容器部４から剤塗布部２に供給するための液導出路５１を持つ延長部材５を有する。
【００１１】
剤塗布部２は、頭髪に接触させる部分であり、頭髪を櫛部２３で梳きながら該頭髪に頭髪処理剤３を塗布可能である。
第１実施形態における剤塗布部２は、図２及び図３に示すように、平面視円形状の櫛歯台２０を備えており、該櫛歯台２０の中央部に、延長部材５を通じて供給された頭髪処理剤３が吐出される剤吐出口２１が開口している。櫛歯２２は、櫛歯台２０に、剤吐出口２１の周囲を囲むように多数立設されている。これらの櫛歯２２によって、櫛歯台２０上に、円筒状の櫛部２３が形成されている。櫛歯２２及び櫛歯台２０は、合成樹脂により一体に成形されている。
【００１２】
第１実施形態における櫛歯２２は、図３に示すように、平面視形状及び横断面形状が円形状であり、剤吐出口２１を囲む円形のライン２４上に等間隔に配置されている。
また、櫛歯２２は、図５に示すように、先端近傍部２２ａから櫛歯の基端２２ｅ側に向かって櫛歯幅Ｗ（本実施形態では櫛歯の直径Ｌ１に同じ）が減少する逆テーパー部２２ｃを有している。櫛歯幅Ｗとは、剤吐出口中央部側から櫛歯をみたときの投影幅である（図３及び図１０参照）。本実施形態において、逆テーパー部２２ｃは、櫛歯２２における、隣接する櫛歯２２との隙間の幅が、先端部側から基端部側に向かうに連れて漸増する部分でもある。
【００１３】
第１実施形態における櫛歯２２は、先端部２２ｈとして半球状部２２ｄを有しており、該半球状部２２ｄの下端Ｐ３（先端部２２ｈの下端Ｐ３）が、逆テーパー部２２ｃの上端Ｐ１となっている。すなわち、櫛歯２２は、先端部２２ｈの下端Ｐ３から櫛歯の基端２２ｅ側に向かって櫛歯幅Ｗ（本実施形態では櫛歯の直径Ｌ１に同じ）が減少する逆テーパー部２２ｃを有している。頭部に先端部２２ｈを押し付けた際に、当該先端部２２ｈは頭髪を掻き分けて、より多くの頭髪を隣接する櫛歯同士の隙間に誘導し易くするガイド機能を果たす。
他方、逆テーパー部２２ｃの下端Ｐ２は、櫛歯２２の高さ方向中央部２２ｂに位置している。
頭髪を隣接する櫛歯の逆テーパー部間に誘導する観点から、逆テーパー部２２ｃの上端Ｐ１は、櫛歯２２の先端からの距離Ｔ１（図５参照）が０〜５ｍｍであることが好ましく、より好ましくは０〜３ｍｍであり、更に好ましくは０〜２ｍｍである。
【００１４】
櫛歯２２の先端近傍部２２ａは、概ね、櫛歯２２の先端から、該先端より７ｍｍ程度下方の位置までの範囲である。本発明における「先端近傍部」は、櫛歯の先端と、該櫛歯の先端の近傍に位置する部分との両者を包含する概念であり、図９に示す実施形態のように、逆テーパー部２２ｃの上端Ｐ１が櫛歯の先端に位置していても良い。
【００１５】
他方、櫛歯２２の高さ方向中央部２２ｂは、概ね、櫛歯２２の高さを３等分して３領域に区分したときの中央の１領域である。櫛歯２２の逆テーパー部は、櫛歯の高さ方向中央部に達していなくても良いが、本実施形態におけるように、櫛歯の先端近傍部から該櫛歯の高さ方向中央部に亘っていることが好ましい。逆テーパー部が、櫛歯の先端近傍部から該櫛歯の高さ方向中央部に亘っているという表現には、逆テーパー部の下端が、櫛歯の高さ方向中央部に位置している場合と、逆テーパー部が、該高さ方向中央部を超えて更にそれより下方の領域までに亘っている場合との両者が含まれる（図８参照）。
【００１６】
逆テーパー部２２ｃの下端Ｐ２は、櫛歯２２の先端からの距離Ｔ２（図５参照）が、櫛歯２２の高さＴ（図５参照）の１０〜１００％であることが好ましく、より好ましくは、３０〜１００％であり、更に好ましくは５０〜１００％である。
また、逆テーパー部２２ｃの高さＴ３（上端Ｐ１と下端Ｐ２の高低差，図５参照）は、櫛歯２２の高さＴの１０〜１００％であることが好ましく、より好ましくは３０〜１００％であり、更に好ましくは５０〜１００％である。
【００１７】
櫛部２３及び頭髪処理剤３は、図６に示すように、櫛部２３を上方に向けて頭髪処理剤３を吐出させたときに、筒状の櫛部２３の内側に、頭髪処理剤３を所定量貯留可能であることが好ましい。
頭髪処理剤３としては、染毛剤、ブリーチ剤、整髪剤、育毛剤、ヘアケア剤等の各種公知の頭髪処理剤を用いることができ、そのそれぞれの組成も特に制限されない。しかし、頭部から離れた位置において頭髪処理剤３を吐出させた後、吐出させた剤を筒状の櫛部２３内からこぼれないようにしながら頭部まで運べるようにする観点からは、頭髪処理剤３は、剤吐出口２１からある程度の粘度を有する液状（クリーム状のものや固形分や気体分を含む液状のものを含む）又は泡状に吐出可能なものであることが好ましい。剤吐出口２１から泡状に吐出する頭髪処理剤は、容器部４に充填する時点で泡状のもの、容器部４内で泡状に変化したもの、容器部４と剤吐出口２１との間等で泡状に変化したもの等の何れであってもよい。ここで、頭髪処理剤の粘度は、５０００〜３００００ｍＰａ・ｓ（２０℃）が好ましく、１００００〜２００００ｍＰａ・ｓ（２０℃）がより好ましい。
【００１８】
剤塗布部２を、頭部の頭頂部側から頭髪の毛先方向に向かって一回移動させる一度の塗布操作で、頭髪に、ある程度の塗布幅で、ある程度の長さに亘って剤を塗布できるようにする観点等から、頭髪長さが約２０〜２５ｃｍのミディアムヘアの女性の場合には、櫛歯２２の高さＴは、５〜３０ｍｍであることが好ましく、より好ましくは１０〜２０ｍｍであり、更に好ましくは１２〜１８ｍｍである。
また、同様の観点等から、櫛歯２２の基端部の断面中心が通る円状ライン２４の内径Ｌ４（図３参照）は、５〜３０ｍｍであることが好ましく、より好ましくは５〜２０ｍｍ、更に好ましくは５〜１５ｍｍである。かかる内径Ｌ４の範囲は本発明の塗布具をストリーク（頭髪の一部を筋状に脱色または染毛すること）で実施する場合に、好ましい筋幅となる範囲でもある。
【００１９】
第１実施形態における櫛歯２２は、逆テーパー部２２ｃの両側の櫛歯外形線Ｌ２，Ｌ２がそれぞれ直線状をなしている。逆テーパー部２２ｃの両側の櫛歯外形線Ｌ２，Ｌ２は、櫛歯２２の軸中心線Ｌ２２に対する傾斜角度θ１（図５参照）が、例えば０.５〜２０°であり、より好ましくは１〜１０°であり、更に好ましくは２〜５°である。かかる範囲の場合には、隣接する櫛歯同士の逆テーパー部で頭髪同士と頭髪処理剤がしごかれ、頭髪束の表面だけではなくその内部まで頭髪処理剤が浸透しやすくなる。さらに、頭髪処理剤が浸透した頭髪束が基端部へ移動しやすくなり、頭髪の根本から先端まで頭髪処理剤を均一に塗布することができる。なお、逆テーパー部２２ｃの両側の櫛歯外形線Ｌ２，Ｌ２は、櫛歯２２の中心軸線Ｌ２２から離れる方向に向かって凸又は凹状に湾曲した曲線状とすることもできる。
【００２０】
また、隣接する櫛歯２２間の隙間は、逆テーパー部２２ｃの上端Ｐ１における幅Ｗ１（最短距離）が、０．１〜３ｍｍであることが好ましく、より好ましくは０．３〜１ｍｍである。かかる範囲の場合には、逆テーパー部に誘導された頭髪束を抜けにくくでき、また頭髪同士と頭髪処理剤を良くしごくことができる。また、隣接する櫛歯２２間の隙間は、逆テーパー部２２ｃの上端Ｐ１より下方における最大の幅Ｗ２が、０．２〜５ｍｍであることが好ましく、より好ましくは０．８〜２ｍｍである。かかる範囲の場合には、頭髪処理剤が浸透した頭髪束を基端部へ移動させやすくなる。
第１実施形態における櫛歯２２は、逆テーパー部２２ｃより下方に、基端２２ｅに近づくに連れて櫛歯幅Ｗ（直径Ｌ１）が増大するテーパー部２２ｆを有している。テーパー部２２ｆの両側の櫛歯外形線Ｌ３，Ｌ３は、櫛歯２２の軸中心線Ｌ２２に対する傾斜角度θ２（図５参照）が、例えば０．５〜５°であり、好ましくは０．５〜２°である。かかる範囲の場合には特殊な構造の成形金型が不要となり、剤塗布部２を成形しやすくなる。なお、テーパー部２２ｆの前記傾斜角度θ２は、逆テーパー部２２ｃの前記傾斜角度θ１より小さいことが好ましい。
逆テーパー部２２ｃの下方は、テーパー部２２ｆとするのに代えて、直径が上下方向に亘って一定の同径部とすることも好ましい。また、逆テーパー部２２ｃの下方に、テーパー部２２ｆ及び同径部を設けることもできる。その場合、テーパー部２２ｆ及び同径部のうち、テーパー部２２ｆ側を基端２２ｅ側に形成しても良いし、同径部側を基端２２ｅ側に形成しても良い。
【００２１】
第１実施形態の頭髪処理剤塗布具１における容器部４は、図１に示すように、スクイズ可能な有底筒状の外容器４２と、外容器４２内に配置され、口部が外容器４２の円筒状の口部内面に気密に接合された内袋４３とを有する容器本体４１と、容器本体４１の口部に取り付けられる逆止弁４４付きの接続キャップ４５とからなる２重構造の容器からなり、外容器４２を片手で把持してその片手でスクイズすることにより、外容器４２自体又は外容器４２と内袋４３との間の空気が、内部の内袋４３を押圧し、それにより内袋４３内の頭髪処理剤３が押し出されて液導出路５１を介して剤吐出口２１に供給される。また、接続キャップ４５の上部には、容器部４と剤塗布部２との間に所定の間隔を形成する延長部材５が結合しており、図４に示すように、延長部材５の他端は、前記の櫛歯台２０の裏面側に結合している。延長部材５は、内部に液導出路５１を備え、液導出路５１を介して、容器部４と剤吐出口２１との間を連通している。
【００２２】
図１に示す頭髪処理剤塗布具１においては、外容器４２の円筒状の口部に、外容器４２と内袋４３との間の空間と、外容器４２の外部とを連通する吸入孔４２ａが形成されている。そして、押圧されて変形した外容器４２が、弾性復元力により元の状態に戻るときに、容器１の外部の空気が、接続キャップ４５の下端と外容器４２との間に設けた隙間４２ｂ及び前記の吸入孔４２ａを通って、外容器４２と内袋４３との間に流入する。容器部４は、このような構成を有することで、外周面を押圧して変形させる操作を繰り返すことにより、内容物である頭髪処理剤を徐徐に剤吐出口から吐出させることができる。
【００２３】
容器部４に、このような２重構造の容器を用いることにより、内部の頭髪処理剤３の残量が減っても、容器部４がしぼんで把持しにくくなることを防止できる。また、接続キャップ４５や、容器部４内の空間と剤吐出口２１とを連通する液導出路５１等に逆止弁４４を設けて、剤の吐出後に空気が液導出路５１や容器部４に逆流することを防止することにより、次回の吐出の際に、剤が出にくくなったり剤が飛び散ったりすることを防止することができる。また、容器部４の外容器４２における接続キャップ４５に覆われていない部分から櫛部２３までの距離Ｌ（図１参照）は、頭髪への塗布状態の目視による確認性を高める観点及び塗布作業の容易等の観点から、４０〜１２０ｍｍであることが好ましく、より好ましくは７０〜９０ｍｍである。
【００２４】
第１実施形態の頭髪処理剤塗布具１を用いた頭髪処理剤の塗布方法の好ましい一例について説明する。
先ず、容器部４の容器本体４１から接続キャップ４５を取り外して、容器部４内に頭髪処理剤３を充填する。そして、接続キャップ４５を取り付けた後に外容器４２を片手で把持して繰り返しスクイズすることにより、容器部４内の頭髪処理剤３を剤塗布部２に送り、剤吐出口２１から頭髪処理剤３を吐出させる。そして、図６に示すように、筒状の櫛部２３の内側に所望の量の頭髪処理剤３を溜め、次いで、頭髪処理剤３を保持した剤塗布部２を、図７に示すように、頭部に移動し、櫛部２３を頭髪側に向けて押し当てる。
そして、剤塗布部２を、頭髪の毛先方向に向けて移動させ、櫛部２３で頭髪を梳きながら、隣接した櫛歯２２間に挿入された頭髪に対して頭髪処理剤３を塗布する。
【００２５】
第１実施形態の頭髪処理剤塗布具１によれば、櫛部２３を構成する櫛歯２２が前述した逆テーパー部２２ｃを有するため、櫛部２３を頭髪に押し当てて移動させた際に、櫛歯２２間の隙間に頭髪が入り込み、それらの頭髪は、櫛歯２２の先端部付近に滞留することなく、櫛歯２２の基部方向に誘導される。
そのため、筒状の櫛部２３内における櫛歯先端部付近に存する頭髪処理剤のみならず、櫛歯台の近くに存在する頭髪処理剤３も効果的に頭髪に塗布される。
また、櫛歯２２が逆テーパー部２２ｃを有するため、頭髪６がその裏側から頭皮によって支持されていない首６２上の頭髪に塗布する場合や、髪の太さや髪の本数が減る毛先寄りの部位に塗布する場合にも、櫛歯２２間から頭髪が抜け出しにくい。そのため、首６２上の頭髪６や肩上の頭髪、頭髪の毛先寄りの部位に対しても、頭髪処理剤３を安定的に塗布することができる。また、それにより、例えば、頭頂部付近６１の頭髪から首６２や肩上に亘る長い範囲の頭髪６に対して安定して頭髪処理剤３を塗布することも可能となる。
【００２６】
また、先端部２２ｈとして半球状部２２ｄが設けられた本発明の塗布具の櫛部２３を頭髪側に向けて押し当てる際、半球状部２２ｄによって、より多くの頭髪を隣接する櫛歯２２の隙間に誘導する。そして、該隙間に頭髪が入り込んだ状態で、剤塗布部２を、頭髪の毛先方向に向けて移動させる際に、その頭髪束が、隣接する櫛歯２２の逆テーパー部２２ｃ間でしごかれて、髪の束の内部の髪一本一本にも効率的に頭髪処理剤３が付着する。これにより、頭髪に対しムラのない頭髪処理を行うこともできる。
また、第１実施形態における櫛歯２２は、図３に示すように、円形の仮想ライン上に環状に配置されているため、塗布する際の塗り方が多少異なっても、頭髪に同様の幅で塗布できる利点がある。
【００２７】
次に、本発明の他の実施形態について説明する。
図８及び図９は、本発明の第２及び第３実施形態における頭髪処理剤塗布具の櫛歯を示す図（図５相当図）である。図１０は、本発明の第４実施形態の頭髪処理剤塗布具の剤塗布部を示す図である。
第２〜第４実施形態の頭髪処理剤塗布具は、櫛歯の形状以外は、第１実施形態と同様の構成を有している。第２〜第４実施形態について、特に説明しない点については、第１実施形態について上述した説明（より好ましい構成の説明等も含む）が適宜適用される。
【００２８】
図８に示すように、第２実施形態における櫛歯２２Ａにおける逆テーパー部２２ｃは、先端近傍部２２ａから高さ方向中央部２２ｂを超えて基端２２ｅに至るまで連続して直径が減少している。第２実施形態における櫛歯２２Ａのように、櫛歯２２の逆テーパー部２２ｃは、先端近傍部２２ａから高さ方向中央部２２ｂを超えて基端２２ｅに亘るものであっても良い。
図９に示すように、第３実施形態における櫛歯２２Ｂは、上端部に半球状部を有しておらず、上端が平らな面となっている。そのため、逆テーパー部２２ｃの上端Ｐ１が、櫛歯の先端に位置している。
図１０に示すように、第４実施形態における櫛歯２２Ｃは、横断面形状が非円形の略三角形状であり、先端部２２ｈとして略三角錐体部２２ｇを有し、先端部２２ｈの下端Ｐ３から櫛歯の基端２２ｅ側に向かって櫛歯幅Ｗが減少（隣接する櫛歯間の間隔は拡大）する逆テーパー部２２ｃが設けられている。なお、櫛部２３の外周側の形状がストレートとなっているため、櫛部を成形する金型構造を簡素化できる。
【００２９】
第２，第４実施形態も、櫛歯２２Ａ，２２Ｃが、先端部２２ｈの下端Ｐ３から櫛歯の基端２２ｅ側に向かって櫛歯幅Ｗが減少する逆テーパー部２２ｃを有するため、第１実施形態と同様の作用効果が得られる。
また、第３実施形態も、櫛歯２２Ｂが、櫛歯の先端から櫛歯の基端２２ｅ側に向かって櫛歯幅Ｗが減少する逆テーパー部２２ｃを有するため、第１実施形態と同様の作用効果が得られる。
なお、本発明における櫛歯は、例えば、第１，２及び第４実施形態における櫛歯のように、先すぼまり形状の先端部２２ｈを有し、該先端部２２ｈの下端Ｐ３が、逆テーパー部２２ｃの上端Ｐ１となっていることが、櫛歯間の隙間に頭髪をスムーズに誘導できる観点から好ましい。
【００３０】
以上、本発明の好ましい実施形態について説明したが、本発明は、上述した実施形態に制限されず、本発明の趣旨を逸脱しない範囲で種々変更が可能である。
【００３１】
例えば、櫛歯は、高さ方向に離間した複数の逆テーパー部を有していても良い。この場合、複数の逆テーパー部間に、櫛歯幅や直径が均一なストレート部、あるいは櫛歯幅や直径が基端側に向かって増大する順テーパー部を有していても良い。
【００３２】
また、櫛歯は、図３に示すように、円形ライン上に配列しているのに代えて、楕円形状のライン上に配列していても良いし、四角形、六角形等の多角形状のライン上に配列していても良い。
また、図５や図１０に示すように、逆テーパー部の上方に半球状部や略三角錐体部を有するのに代えて、逆テーパー部の上方に、先端を丸めた円錐や円錐台状の先端部が、底面を逆テーパー部側に位置させて連続していても良い。第１及び第２実施形態における半球状の先端部（半球状部）や第４実施形態における略三角錐状の先端部（略三角錐体部）に加え、円錐状の先端部、多角錐（三角錐、四角錐、五角錐、六角錐等）状の先端部、円錐台、多角錐台状の先端部等も、前述した先すぼまり形状の先端部の例である。先すぼまり形状の先端部は、その先端が凸曲面状に丸めてあることが好ましい。
なお、逆テーパー部２２ｃの上端Ｐ１より上方には、逆テーパー部２２ｃより櫛歯幅や直径が大きい部分がないことが好ましい。
【００３３】
また、本発明の頭髪処理剤塗布具は、容器部４や剤吐出口２１を有しないものでも良い。剤塗布部２に剤吐出口２１を有しない場合であっても、環状に配置された櫛歯２２で囲まれた空間内に、頭髪処理剤を別の容器等から直接注入等することにより、本実施形態と同様にして頭髪処理剤の塗布を行うことができる。
また、容器部は、２重構造を有しないものであっても良いし、また、押し潰したり、巻き上げたりして内容物を押し出し可能なチューブ容器であっても良い。また、接続キャップは逆止弁を有しないものであっても良い。
また、容器部として、エアゾール容器を用いても良い。
【実施例】
【００３４】
以下、実施例により本発明を更に詳細に説明する。しかしながら本発明の範囲は、かかる実施例に制限されない。
【００３５】
〔実施例１〕
図１〜図５に示す形態の頭髪処理剤塗布具に準じて実施例１の頭髪処理剤塗布具を製造した。実施例１では櫛歯の強度向上の観点から各櫛歯基端にＲ面取り部（フィレット部）２２ｉを設けた。実施例１の櫛歯の形状を図１１（ａ）に示す。塗布具はウレタン樹脂を
用いて注型法で試作した。
各部の寸法は、下記の通りとした（記号Ｔ、Ｔ１、Ｔ２、Ｗ１、Ｗ２は図５参照、Ｌ４は図３参照）。
櫛歯の高さＴ（櫛歯先端から櫛歯の基端２２ｅまでの距離）：１６ｍｍ
櫛歯先端から逆テーパー部上端Ｐ１までの距離Ｔ１：１ｍｍ
櫛歯先端から逆テーパー部下端Ｐ２までの距離Ｔ２：９ｍｍ
櫛歯先端からＲ面取り部（フィレット部）２２ｉの上端２２ｊまでの距離：１５．６ｍ
ｍ
逆テーパー部上端Ｐ１における櫛歯の直径：２ｍｍ
逆テーパー部下端Ｐ２における櫛歯の直径：１．３ｍｍ
基端２２ｅにおける櫛歯の直径：２．５ｍｍ
Ｒ面取り部（フィレット部）２２ｉの上端２２ｊにおける櫛歯の直径：１．５ｍｍ
櫛歯が並ぶ円状ラインの内径Ｌ４：１２ｍｍ
櫛歯の本数：１５本
逆テーパー部上端Ｐ１における隣接する櫛歯間の距離Ｗ１：０．５ｍｍ
逆テーパー部下端Ｐ２における隣接する櫛歯間の距離Ｗ２：１．２ｍｍ
【００３６】
〔比較例１〕
櫛歯の先端部として半径０．５ｍｍの半球状部を有し、半球状部の下端（後述のＰ１’と同一）から基端側に向かって直径が連続的に漸増するテーパー部となっている櫛歯に代えた以外は、実施例１と同様の構成を有する頭髪処理剤塗布具を製造した。比較例１の櫛歯の形状を図１１（ｂ）に示す。
各部の寸法は、下記の通りとした。
櫛歯の高さ（Ｔに相当）：１５．５ｍｍ
櫛歯先端からテーパー部上端（Ｐ１’）までの距離（Ｔ１に相当）：０．５ｍｍ
櫛歯先端からテーパー部下端（Ｐ２’）までの距離（Ｔ２に相当）：１５ｍｍ
テーパー部上端（Ｐ１’）における櫛歯の直径：１ｍｍ
テーパー部下端（Ｐ２’）における櫛歯の直径（Ｒ面取り部上端の櫛歯の直径）：１．５ｍｍ
基端２２ｅ’における櫛歯の直径：２．５ｍｍ
櫛歯が並ぶ円状ラインの内径（Ｌ４に相当）：１２ｍｍ
櫛歯の本数：１５本
テーパー部上端（Ｐ１’）における隣接する櫛歯間の距離（Ｗ１に相当）：１．５ｍｍ
テーパー部下端（Ｐ２’）における隣接する櫛歯間の距離（Ｗ２に相当）：１ｍｍ
【００３７】
〔比較例２〕
櫛歯を、先端部に直径２ｍｍの球状部を有し、該球状部より下方が、先端側から基端側に向かって直径が連続的に漸増するテーパー部となっている櫛歯に代えた以外は、実施例１と同様の構成を有する頭髪処理剤塗布具を製造した。球状部に隣接するテーパー部上端部の直径は１ｍｍであった。
各部の寸法は、下記の通りとした。
櫛歯の高さ（Ｔに相当）：１６ｍｍ
櫛歯先端からテーパー部上端（Ｐ１”）までの距離（Ｔ１に相当）：１．９ｍｍ
櫛歯先端からテーパー部下端（Ｐ２”）までの距離（Ｔ２に相当）：１５．５ｍｍ
テーパー部上端（Ｐ１”）における櫛歯の直径：１ｍｍ
テーパー部下端（Ｐ２”）における櫛歯の直径（Ｒ面取り部上端の櫛歯の直径）：１．５ｍｍ
基端２２ｅ”における櫛歯の直径：２．５ｍｍ
櫛歯が並ぶ円状ラインの内径（Ｌ４に相当）：１２ｍｍ
櫛歯の本数：１５本
テーパー部上端（Ｐ１”）における隣接する櫛歯間の距離（Ｗ１に相当）：１．５ｍｍ
テーパー部下端（Ｐ２”）における隣接する櫛歯間の距離（Ｗ２に相当）：１ｍｍ
比較例２の櫛歯の形状を図１１（ｃ）に示す。
【００３８】
〔評価〕
実施例及び比較例の頭髪処理剤塗布具を用いて、下記方法及び評価基準により塗布量の均一性及び剤の浸透性を評価した。
〔塗布量の均一性〕
（方法）
女性の頭部及び首部を模した頭部モデル（マネキン）の頭髪に頭髪処理剤の塗布を行った。
頭髪処理剤としては、下記組成のブリーチ剤を用いた。
また、頭髪処理剤の塗布は、頭髪処理剤を筒状の櫛部内に図６に示す状態に溜めた後、その剤塗布部を頭部上の頭髪に押し当て、次いで、該頭髪を梳くように、該剤塗布部を、頭部モデル（マネキン）の頭頂部付近から首部より下方の位置まで移動させて行った。（頭髪処理剤の組成）
１剤(アンモニア、重炭安等水溶液)  ：６０質量％
２剤（過酸化水素等水溶液）        ：２１質量％
パウダー剤(過硫酸塩等)            ：１９質量％
【００３９】
図１２に、頭頂部付近の塗り始め部位（根元）から毛先まで塗布したときの塗布量の変化を示した。ここで各図１２（ａ）〜（ｃ）の中央部に縦線が３本あるが、中央の線は耳の位置を表している。左側の線は耳部より上部であって、頭部において頭髪をその裏側から頭皮によって支持している領域との境界を表している。右側の線は耳部より下部であって、頭部において頭髪をその裏側から頭皮によって支持していない領域（首部）との境界を表している。また、下記の評価基準により塗布量の均一性を評価し、その結果を表１に示した。なお、図１２中に示す各グラフ中の直線Ａは、単位長さの頭髪を処理するのに必要な剤の質量（ｇ／ｃｍ）を示す。
（評価基準）
＋１点：頭髪の根本から毛先までの全領域中において、７０％以上の長さ領域で塗布量が上記のＡ値を超え、全領域でＡ値の５０％以上が頭髪に塗布されている。
０点：５０％以上の長さ領域でＡ値を超えている。
−１点：Ａ値を超えている領域が５０％以下。
【００４０】
【表１】
0005843383.tif 000002
【００４１】
〔剤の浸透性〕
（方法）
女性の頭部及び首部を模した頭部モデル（マネキン）の頭髪に頭髪処理剤の塗布を行った。
頭髪処理剤としては、上記組成のものを用いた。
また、頭髪処理剤の塗布は、頭髪処理剤を筒状の櫛部内に図６に示す状態に溜めた後、その剤塗布部を頭部上の頭髪に押し当て、次いで、該頭髪を梳くように、該剤塗布部を、頭部モデル（マネキン）の頭頂部付近から首部より下方の位置まで移動させて行った。
（評価基準）
＋１点：塗布部（頭髪束の表面）が処理剤で濡れていて、かつ頭髪束をほぐした場合に、頭髪束の内部まで処理剤で濡れている（処理剤が頭髪束の内部まで浸透している）。
−１点：塗布部（頭髪束の表面）が処理剤で濡れているが、頭髪束をほぐした場合に、頭髪束の内部までは処理剤で濡れていない（処理剤が頭髪束の内部までは浸透していない）。
【００４２】
表１に示す結果から明らかなように、実施例の頭髪処理剤塗布具は、塗布量の均一性及び剤の浸透性に優れている。剤の浸透性に優れる理由は、頭髪導入部によって通常より多くの頭髪が櫛歯間に挿入され、隣接する櫛歯の逆テーパー部間で、頭髪の束をしごきながら剤が塗布されるためと考えられる。
【符号の説明】
【００４３】
１  頭髪処理剤塗布具
２  剤塗布部
２１  剤吐出口
２２，２２Ａ，２２Ｂ，２２Ｃ  櫛歯
２２ａ  先端近傍部
２２ｃ  逆テーパー部
３  頭髪処理剤
４  容器部
４１  容器本体
４５  接続キャップ
５  延長部材
５１  液導出路
【図１】
0005843383.tif 000003
【図２】
0005843383.tif 000004
【図３】
0005843383.tif 000005
【図４】
0005843383.tif 000006
【図５】
0005843383.tif 000007
【図６】
0005843383.tif 000008
【図７】
0005843383.tif 000009
【図８】
0005843383.tif 000010
【図９】
0005843383.tif 000011
【図１０】
0005843383.tif 000012
【図１１】
0005843383.tif 000013
【図１２】
0005843383.tif 000014